(57)【特許請求の範囲】
【請求項１】
複数の説明用のスライド情報である説明スライド情報のうち、修正を要する要修正情報が含まれている前記説明用スライド情報を検索情報で検索するスライド検索装置であって、
少なくとも、前記要修正情報に含まれるキーワード情報及び前記要修正情報が属するテーマ情報に基づき前記検索情報を生成し、
前記テーマ情報は、各前記テーマ情報を表現するときの表現情報を有し、
前記表現情報は、キーワード情報との組み合わせが可能な構成となっていることを特徴とするスライド検索装置。
【請求項２】
前記表現情報は、当該テーマ情報について使用頻度の高い表現情報を含むことを特徴とする請求項１に記載のスライド検索装置。
【請求項３】
前記説明スライド情報が、製品に関する情報であり、前記検索情報が製品名情報を含むことを特徴とする請求項１又は請求項２に記載のスライド検索装置。
【請求項４】
前記キーワード情報及び前記テーマ情報を入力する端末装置と、前記端末装置と送信可能な構成となっているスライド検索装置を有するスライド検索システムであって、
前記スライド検索装置は、複数の説明用のスライド情報である説明スライド情報のうち、修正を要する要修正情報が含まれている前記説明用スライド情報を検索情報で検索する構成となっており、
少なくとも、前記要修正情報に含まれるキーワード情報及び前記要修正情報が属するテーマ情報に基づき前記検索情報を生成し、
前記テーマ情報は、各前記テーマ情報を表現するときの表現情報を有し、
前記表現情報は、キーワード情報との組み合わせが可能な構成となっていることを特徴とするスライド検索システム。
【請求項５】
複数の説明用のスライド情報である説明スライド情報のうち、修正を要する要修正情報が含まれている前記説明用スライド情報を検索情報で検索するスライド検索装置の制御方法であって、
前記スライド検索装置は、少なくとも、前記要修正情報に含まれるキーワード情報及び前記要修正情報が属するテーマ情報に基づき前記検索情報を生成し、
前記テーマ情報は、各前記テーマ情報を表現するときの表現情報を有し、
前記表現情報と、前記キーワード情報と組み合わせて前記検索情報を生成することを特徴とするスライド検索装置の制御方法。
【請求項６】
複数の説明用のスライド情報である説明スライド情報のうち、修正を要する要修正情報が含まれている前記説明用スライド情報を検索情報で検索するスライド検索装置に、
少なくとも、前記要修正情報に含まれるキーワード情報及び前記要修正情報が属するテーマ情報に基づき前記検索情報を生成する工程を実行させ、
前記テーマ情報は、各前記テーマ情報を表現するときの表現情報を有し、
また、前記表現情報と、前記キーワード情報と組み合わせて前記検索情報を生成する工程も実行させることを特徴とするスライド検索プログラム。
【発明の詳細な説明】
【技術分野】
【０００１】
本発明は、修正等を要する情報の記載があるスライド情報を抽出等するためのスライド検索装置、スライド検索システム、スライド検索方法及びスライド検索プログラムを提供することを目的とするものである。
【背景技術】
【０００２】
近年、顧客等に対して自社製品等のプレゼンテーションをする際、スライドが多用されている。
このようなプレゼンテーション用のスライドは、例えば、基本形は、会社等が作成するが、大量なスライド数となるため、特定のスライドと類似するスライドを検索するための提案がなされている（例えば、特許文献１）
【０００３】
また、近年、これらの基本形のスライドは、各営業担当等が使用する際に、適宜内容を変更することが可能な場合が多く、例えば、病院等に医薬情報を提供する製薬会社等の医薬情報提供者（ＭＲ（Ｍｅｄｉｃａｌ  Ｒｅｐｒｅｓｅｎｔｉｖｅ））は、その説明内容が高度であるため、説明対象となる医師毎にスライドの内容を変更することも多い。
そして、このように内容が変更されたスライドも、基本形のスライドと共に会社等の管理サーバ等に記憶される。
また、このように記憶されているスライドの内容は、事後に修正等がなされることがあり、この場合、会社等の管理サーバの管理者等は、同様の修正内容を有する全てのスライドを修正する必要が生じる。
【先行技術文献】
【特許文献】
【０００４】
【特許文献１】特開２００６―３１８２１９号公報
【発明の概要】
【発明が解決しようとする課題】
【０００５】
しかし、記憶されているスライドには、上述のように、基本形のスライドだけではなく、その内容が変更されたスライドも含まれる。
また、この変更が、上述の事後の修正等の内容に相当する場合もあり、この場合、変更されたスライドの表現は、基本形のスライドの表現と相違している場合が考えられる。
このような状況下において、上述の修正内容を有するスライドを検索するために、当該修正内容の修正前の表現をキーワード等として検索しても検索漏れが生じる。
このため、このような場合を考慮して、キーワードは出来るだけ単純化し、その結果として、検索において絞り込みを十分にすることができないという問題があった。
また、その結果、大量のスライドを対象として、該当するスライドを目視等で検索するため、スライドの修正作業の負担が過大となるという問題もあった。
【０００６】
そこで、本発明は、スライド内容等の変更にもかかわらず、修正等を要するスライドを精度良く絞り込むことができると共に、修正作業等の負担を軽減できるスライド検索装置、スライド検索システム、スライド検索方法及びスライド検索プログラムを提供することを目的とする。
【課題を解決するための手段】
【０００７】
前記課題は、本発明によれば、複数の説明用のスライド情報である説明スライド情報のうち、修正を要する要修正情報が含まれている前記説明用スライド情報を検索情報で検索するスライド検索装置であって、少なくとも、前記要修正情報に含まれるキーワード情報及び前記要修正情報が属するテーマ情報に基づき前記検索情報を生成し、前記テーマ情報は、各前記テーマ情報を表現するときの表現情報を有し、前記表現情報は、キーワード情報との組み合わせが可能な構成となっていることを特徴とするスライド検索装置により達成される。
【０００８】
前記構成によれば、少なくとも、要修正情報に含まれるキーワード情報（例えば、炎症等）及び要修正情報が属するテーマ情報（例えば、有効性、副作用等）に基づき検索情報（例えば、「炎症」と「臨床試験」等）を生成し、テーマ情報は、各テーマ情報を表現するときの表現情報（例えば「臨床試験」等）を有し、表現情報は、キーワード情報との組み合わせが可能な構成となっている。
このため、キーワード情報と、当該要修正情報が属するテーマ情報を表現する表現情報との組み合わせて成る検索情報で、説明スライド情報を検索する。
したがって、キーワード情報だけでは絞り切れない説明スライド情報も、修正内容と同様のテーマ情報で検索範囲を絞ることができるので、精度良く修正を要するスライドの絞り込み検索ができ、修正作業の負担を軽減することができる。
また、説明スライド情報の内容が、当初の基本形から、その後、変更された場合でも、テーマ情報が変更されていなければ、説明スライド情報を精度良く検索することができる。
【０００９】
好ましくは、前記表現情報は、当該テーマ情報について使用頻度の高い表現情報を含むことを特徴とする。
【００１０】
前記構成によれば、表現情報は、当該テーマ情報について使用頻度の高い表現情報を含むので、テーマ情報に関する内容を有するスライドを精度良く検索することができる。
【００１１】
好ましくは、前記説明スライド情報が、製品に関する情報であり、前記検索情報が製品名情報を含むことを特徴とする。
【００１２】
前記構成によれば、説明スライド情報が、製品に関する情報（例えば、Ａ薬剤等）であるため、検索情報が製品名情報を含むことで、より精度良く検索することができる。
【００１３】
前記課題は、本発明によれば、前記キーワード情報及び前記テーマ情報を入力する端末装置と、前記端末装置と送信可能な構成となっているスライド検索装置を有するスライド検索システムであって、前記スライド検索装置は、複数の説明用のスライド情報である説明スライド情報のうち、修正を要する要修正情報が含まれている前記説明用スライド情報を検索情報で検索する構成となっており、少なくとも、前記要修正情報に含まれるキーワード情報及び前記要修正情報が属するテーマ情報に基づき前記検索情報を生成し、前記テーマ情報は、各前記テーマ情報を表現するときの表現情報を有し、前記表現情報は、キーワード情報との組み合わせが可能な構成となっていることを特徴とするスライド検索システムにより達成される。
【００１４】
前記課題は、本発明によれば、複数の説明用のスライド情報である説明スライド情報のうち、修正を要する要修正情報が含まれている前記説明用スライド情報を検索情報で検索するスライド検索装置の制御方法であって、前記スライド検索装置は、少なくとも、前記要修正情報に含まれるキーワード情報及び前記要修正情報が属するテーマ情報に基づき前記検索情報を生成し、前記テーマ情報は、各前記テーマ情報を表現するときの表現情報を有し、前記表現情報と、前記キーワード情報と組み合わせて前記検索情報を生成することを特徴とするスライド検索装置の制御方法により達成される。
【００１５】
前記課題は、本発明によれば、複数の説明用のスライド情報である説明スライド情報のうち、修正を要する要修正情報が含まれている前記説明用スライド情報を検索情報で検索するスライド検索装置に、少なくとも、前記要修正情報に含まれるキーワード情報及び前記要修正情報が属するテーマ情報に基づき前記検索情報を生成する工程を実行させ、前記テーマ情報は、各前記テーマ情報を表現するときの表現情報を有し、また、前記表現情報と、前記キーワード情報と組み合わせて前記検索情報を生成する工程も実行させることを特徴とするスライド検索プログラムにより達成される。
【発明の効果】
【００１６】
本発明は、スライド内容等の変更にもかかわらず、修正等を要するスライドを精度良く絞り込むことができると共に、修正作業等の負担を軽減できるスライド検索装置、スライド検索システム、スライド検索方法及びスライド検索プログラムを提供することができるという利点がある。
【図面の簡単な説明】
【００１７】
【図１】本発明の実施の形態にかかるスライド検索システムを示す概略図である。
【図２】図１の携帯端末の主な構成を示す概略ブロック図である。
【図３】図１の管理サーバの主な構成を示す概略ブロック図である。
【図４】サーバ側第１の各種情報記憶部の主な内容を示す概略ブロック図である。
【図５】サーバ側第２の各種情報記憶部の主な内容を示す概略ブロック図である。
【図６】管理サーバにスライドを蓄積する工程及びＭＲがそれらのスライドを利用する主な工程を示す概略フローチャートである。
【図７】スライド内容に修正があった場合の修正対象のスライドを検索する工程を示す概略フローチャートである。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の実施の形態にかかるスライド検索システム１を示す概略図である。
図１に示すように、スライド検索システム１は、例えば、Ｈ製薬会社が、その社員である医薬情報提供者（ＭＲ（Ｍｅｄｉｃａｌ  Ｒｅｐｒｅｓｅｎｔｉｖｅ））用に説明用スライド情報、例えば、スライドを多数、準備し、図１のスライド検索装置である例えば、管理サーバ３０に記憶する構成となっている。
【００２０】
このスライドは、例えば、ＭＲが面談する医師、看護師及び薬剤師等に自社の製品Ａ等の医薬情報を提供するためのスライドであり、自社製品である薬剤の適応症、有効性、副作用等の情報が示されている。
また、本システム１は、各ＭＲが、当該スライドを面談対象である医師等に表示するための端末装置である例えば、携帯可能なタブレットタイプの携帯端末１０を有している。
なお、この携帯端末１０は、管理サーバ３０の管理者等も有している。
【００２１】
ＭＲ等は、この携帯端末１０を使用して、図１に示すように、インターネット網２及び基地局３等を介して、自社の管理サーバ３０と通信可能な構成となっている。
そして、携帯端末１０は、図１の管理サーバ３０内に記憶されている各種のスライドを取得することができる構成となっている。
【００２２】
具体的には、当該ＭＲが、面談予定の医師等に対する説明用に、管理サーバ３０内のスライドを選択して、これらを組み合わせたスライド群を作成することになる。
このように作成されたスライド群も図１の管理サーバ３０に記憶されることになる。
【００２３】
一方、管理者は、自己の携帯端末１０を介して管理サーバ３０にアクセスし、記憶されているスライド等の情報を修正等することが可能な構成ともなっている。
この修正等に際して、管理者は、本システム１を利用して、修正等が必要なスライドのみを検索することができる構成となっている。
【００２４】
すなわち、本実施の形態のシステム１は、このように管理サーバ３０に記憶されているスライドの内容について修正等を行う必要が生じたときに、管理サーバ３０に記憶されている全てのスライドから当該修正内容を含むスライドを精度良く検索することが可能な構成となっている。
【００２５】
携帯端末１０は、図１に示すように、その中央に、各種情報を入力すると共に表示する表示部である例えば、「タッチパネル１１」が配置されている。
タッチパネル１１は「位置入力装置付き表示装置」であって、液晶パネル等の表示装置とタッチパッド等の位置入力装置を組み合わせた電子部品である。
したがって、画面上の表示を押すことで各種情報を入力することができると共に、各種情報を表示することができる構成となっている。
【００２６】
また、携帯端末１０は、図１に示すように、各種情報を入力するための「入力ボタン１２」も備えている。
【００２７】
携帯端末１０及び管理サーバ３０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２８】
図２は、図１の携帯端末１０の主な構成を示す概略ブロック図である。
図２に示すように、携帯端末１０は、「端末制御部１３」を有し、端末制御部１３は、管理サーバ３０等と通信等するための「端末側通信装置１４」、図１に示す「タッチパネル１１」や「入力ボタン１２」を制御する他、各種情報を記憶する「端末側各種情報記憶部２０」を制御する。
【００２９】
図３は、図１の管理サーバ３０の主な構成を示す概略ブロック図である。
図３に示すように、管理サーバ３０は、「サーバ制御部３１」を有し、サーバ制御部３１は、図１の携帯端末１０と通信等するための「サーバ側通信装置３２」、各種情報を表示する「サーバ側ディスプレイ３３」及び各種情報を入力するための「サーバ側各種情報入力装置３４」等を制御する。
【００３０】
また、サーバ制御部３１は、図３に示すように「サーバ側第１の各種情報記憶部４０」及び「サーバ側第２の各種情報記憶部５０」を制御する。
図４及び図５は、それぞれ「サーバ側第１の各種情報記憶部４０」及び「サーバ側第２の各種情報記憶部５０」の主な内容を示す概略ブロック図である。これらの内容については後述する。
【００３１】
図６及び図７は、本システム１の主な動作例を示す概略フローチャートである。
図６は、管理サーバ３０にスライドを蓄積する工程及びＭＲがそれらのスライドを利用する主な工程を示す概略フローチャートである。
先ず、図６のステップ（以下「ＳＴ」という。）１に示すように、Ｈ製薬会社は、図４の「説明スライド情報記憶部４１」に所定のスライド情報を記憶させる。
例えば、Ｈ製薬会社のＡ薬剤については、その概要として、スライド番号Ａ―００００１乃至Ａ―０５０００の５０００枚を記憶する。また、その有効性として、スライド番号Ａ―０５００１乃至Ａ―１００００の５０００枚を記憶する。さらに、その副作用として、スライド番号Ａ―１０００１乃至Ａ―１５０００の５０００枚を記憶する。
【００３２】
同様に図４の説明スライド情報記憶部４１に示すように、Ｂ薬剤やＣ薬剤についてもスライドが記憶される。
ここで、Ａ薬剤の概要、有効性及び副作用は、テーマ情報の一例となっている。また、Ａ薬剤、Ｂ薬剤、Ｃ薬剤が製品名情報の一例となっている。
【００３３】
次いで、ＳＴ２へ進む。ＳＴ２では、例えば、「Ｘ」ＭＲが、Ａ薬剤の概要、有効性及び副作用を担当病院の医師等に説明する際に、図１の自己の携帯端末１０を使用して、管理サーバ３０にアクセスし、図４の「説明スライド情報記憶部４１」を参照する。
そして、Ａ薬剤の概要（スライド番号Ａ―００００１乃至Ａ―０００１０）、有効性（スライド番号Ａ―０５００１乃至Ａ―０５０１０）及び副作用（スライド番号Ａー１０００１乃至Ａ―１００１０）を選択し、自己の携帯端末１０にダウンロード等して、その内容をタッチパネル１１に表示させる。
【００３４】
次いで、説明対象の医師等の要望に合わせた内容とするため、その有効性のスライド番号Ａー０５００５及びＡ―０５００６と、副作用のスライド番号Ａ―１０００５及びＡー１０００６のスライドの内容を修正する。
そして、修正された有効性及び副作用のスライド内容は、それぞれ、スライド番号Ａー０５００５α及びＡ―０５００６α及びスライド番号Ａ―１０００５α及びＡー１０００６αとして、「Ｘ」ＭＲが利用した他の未修正のスライド番号と共に、図４の「担当者スライド情報記憶部４２」に記憶される。
また、このとき、これらのスライド番号は、当該使用し修正したＭＲである「Ｘ」ＭＲの担当者名等と関連付けて記憶される。
【００３５】
したがって、管理サーバ３０には、Ｈ製薬会社がＭＲが医師等との面談等のために準備した基本形であるスライドが「説明スライド情報記憶部４１」に記憶されているだけでなく、このスライドの内容をＭＲが変更したスライドも「担当者スライド情報記憶部４２」に記憶されることになる。
【００３６】
次いで，図７のフローチャートを用いて、スライド内容に修正があった場合の修正対象のスライドを検索する工程を説明する。
「スライド内容に修正があった場合の修正対象のスライド」が、要修正情報が含まれている説明要スライド情報の一例となっている。
【００３７】
このスライドの修正内容は、例えば、Ａ薬剤についての「炎症」の「有効性」に関する記述の修正を例として、以下説明する。
Ｈ製薬会社の管理サーバ３０の管理者は、上述の修正があった場合、当該修正部分を含むスライド番号の特定をするため、本システム１を利用する。
先ず、管理サーバ３０の管理者は、自己の携帯端末１０を起動し、管理サーバ３０と通信可能に説明する。
【００３８】
すると、ＳＴ１１で、管理者の携帯端末１０のタッチパネル１１に、「製品名」、「キーワード」及び「検索分野」の入力画面が表示される。
ここで「製品名」は、上述の製品名情報であり、例えば、Ａ薬剤等の名称である。
また、キーワードは、修正にかかるキーワード情報であり例えば、「炎症」等である。
さらの、「検索分野」はテーマ情報であり、例えば、「有効性」や「副作用」等が相当する。
【００３９】
次いで、ＳＴ１２へ進む。ＳＴ１２では、管理者の携帯端末１０から入力された「製品名」「キーワード」及び「検索分野」の情報を図４の「入力情報記憶部４３」に記憶させる。
次いで、ＳＴ１３へ進む。ＳＴ１３では、図５の「検索表現特定処理部（プログラム）５１」が動作し、図４の「入力情報記憶４３」の「検索分野」情報、例えば、「有効性」と、「検索分野別検索情報記憶部４４」を参照する。
【００４０】
ここで、「検索分野別検索情報記憶部４４」には、「有効性」等の検索分野における使用頻度の高い表現情報である例えば、「臨床試験」等の情報が記憶されている。
この使用頻度の高い表現情報である「臨床試験」等は、キーワードである「炎症」等と組み合わせで意味が成立する、組み合わせ可能な表現となっている。
具体的には、例えば、「キーワード」の後の所定数の語句の範囲内に「臨床試験」という文言が存在する場合、「キーワード」の後の所定数の語句の範囲内に「作用」という文言が存在する場合、「キーワード」の後の所定数の語句の範囲内に「効果」という文言が存在する場合等と定義される。                                               
【００４１】
したがって、ＳＴ１３では、「入力情報記憶部４３」の「キーワード」である「炎症」と、「検索分野」である「有効性」と対応する「検索分野別検索情報記憶部４４」の検索表現、例えば、「臨床試験」「作用」及び「効果」とを組み合わせて検索情報を生成する。
具体的には、例えば、「「炎症」及び「臨床試験」」、「「炎症」及び「作用」」、「「炎症」及び「効果」」が検索情報となり、図５の「当該検索情報記憶部５２」に記憶される。
【００４２】
なお、「検索分野」が「副作用」の場合は、検索表現は「キーワード」の直前及び直後に「，」又は「、」の存在等と定義される。
【００４３】
次いで、ＳＴ１４へ進む。ＳＴ１４では、図５の「スライド検索処理部（プログラム）５３」が動作し、「入力情報記憶部４３」の「製品名」、例えば、「Ａ製品」」及び「当該検索情報記憶部５２」の「検索情報，例えば、「「炎症」及び「臨床試験」」等に基づき、「説明スライド情報記憶部４１」及び「担当者スライド情報記憶部４２」のスライド内容を検索し、該当するスライドを図５の「検索結果スライド情報記憶部５４」に記憶する。
具体的には、修正対象のスライドが「説明スライド情報記憶部４１」のスライド番号Ａ―０５００５やＡ―０５００６であった場合でも、本実施の形態では、変更が加えられている「担当者スライド情報記憶部４２」のスライド番号Ａ―０５００５αやＡ―０５００６αも検索され、「検索結果スライド情報記憶部５４」に記憶されることになる
【００４４】
すなわち、スライド内容のうち、「炎症」の「有効性」に関する記述の修正があった場合、その記載内容は、その基本形が記載されている「説明スライド情報記憶部４１」のスライドと、変更後のスライド内容が記載されている「担当者スライド情報記憶部４２」のスライドでは、相違する可能性がある。
したがって、基本形のスライドの記載内容に基づいて、特定の具体的な表現で、スライド内容を検索しても、変更があったスライドである「担当者スライド情報記憶部４２」のスライドは検索から漏れてしまう。
【００４５】
この点、本実施の形態では、基本形のスライドの記載内容に基づいた特定の具体的な表現ではなく、テーマ情報である「有効性」等についての使用頻度の高い表現等と「キーワード」からなる「検索情報」で検索を実行するので、漏れのない精度の高い絞り込み検索が可能となる。
【００４６】
また、特定の製品名についてのスライドの検索は、検索情報のみならず「製品名」情報と共に検索を行うため、より精度の高い検索が可能となる。
【００４７】
次いで、ＳＴ１５へ進む。ＳＴ１５では、「検索結果スライド情報記憶部５４」の検索結果スライド情報、例えば、Ａ−０５００５、Ａ−０５００６、Ａ―０５００５α及びＡ−０５００６α等のスライド番号をタッチパネル１１に表示する。
したがって、管理サーバ３０の管理者は、これらの情報に基づいて、修正を行うスライドの範囲を絞ることができるので、従来と比べ修正作業の負担を大幅に軽減することができる。
【００４８】
このように、本実施の形態では、キーワードだけでは絞り切れないスライド内容も、修正内容と同様のテーマ情報で検索範囲を絞ることができるので、修正を要するスライドの絞り込み検索を精度良く行うことができる。
また、スライドの内容が、当初の基本形から、その後、変更された場合でも、テーマ情報が変更されていなければ、検索でき、これにより、スライドの検索の精度を向上させることができる。
【００４９】
なお、本発明は上述の実施の形態に限らない。本実施の形態では、主に情報等を管理サーバ３０で管理する例で説明したが、本発明はこれに限らず、携帯端末１０が、管理サーバ３０から必要なデータを取得した後、管理サーバ３０とはオフラインで、各工程を実行し、その結果情報を管理サーバ３０へ送信する構成としても構わない。
【符号の説明】
【００５０】
１・・・スライド検索システム、２・・・インターネット網、３・・・基地局、１０・・・携帯端末、１１・・・タッチパネル、１２・・・入力ボタン、１３・・・端末制御部、１４・・・端末側通信装置、２０・・・端末側各種情報記憶部、３０・・・管理サーバ、３１・・・サーバ制御部、３２・・・サーバ側通信装置、３３・・・サーバ側ディスプレイ、３４・・・サーバ側各種情報入力装置、４０・・・サーバ側第１の各種情報記憶部、４１・・・説明スライド情報記憶部、４２・・・担当者スライド情報記憶部、４３・・・入力情報記憶、４４・・・検索分野別検索情報記憶部、５０・・・サーバ側第２の各種情報記憶部、５１・・・検索表現特定処理部（プログラム）、５２・・・当該検索情報記憶部、５３・・・スライド検索処理部（プログラム）、５４・・・検索結果スライド情報記憶部
【図１】
0006600229.tif 000002
【図２】
0006600229.tif 000003
【図３】
0006600229.tif 000004
【図４】
0006600229.tif 000005
【図５】
0006600229.tif 000006
【図６】
0006600229.tif 000007
【図７】
0006600229.tif 000008